(57)【要約】【課題】入力信号選択画面において、選択可能な入力信号のアイコンだけを強調することで操作性を向上させることができる表示装置を提供する。【解決手段】ＨＤＭＩ規格の複数の入力端子（２０−１，２０−２，２０−３）と、複数の入力端子のピンの信号電位を検出する検知部（３４）と、この検知結果に基づいて入力信号を選択し、この入力信号を他の入力信号と差別化したアイコンが選択枝として表示される入力信号選択画面（図８，図９）を生成する生成部（３０−１）と、複数の入力端子からの複数の入力信号から、入力信号選択画面にて選択されたアイコンに応じた入力信号を選択し、この入力信号に所定の信号処理を施す処理部（１８’）をもつ表示装置。【選択図】図１
2010028823.tif 000002
【特許請求の範囲】
【請求項１】
外部装置が接続されるＨＤＭＩ規格の第１の入力端子と、
前記第１の入力端子からの入力信号に含まれる第１の信号と、前記第１の入力端子からの入力信号に含まれる前記第１の信号とは異なる第２の信号とを検知する検知部と、
前記検知部の検知結果に基づいて、前記外部装置が待機中で無く且つ動作中の状態であることを特定し、前記外部装置が前記動作中の状態であることが特定される場合に前記外部装置が動作中の状態であることを示す入力信号選択画面を生成する生成部と、
を備えることを特徴とする表示処理装置。
【請求項２】
さらに、前記第１の入力端子と異なる第２の入力端子を備え、
前記検知部は、前記第２の入力端子からの信号を検知し、
前記生成部は、前記検知部の検知結果に基づいて、前記第２の入力端子と前記外部装置との接続又は無接続を示す情報を含む前記入力信号選択画面を生成することを特徴とする請求項１記載の表示処理装置。
【請求項３】
さらに、前記第１の入力端子と異なる第２の入力端子を備え、
前記検知部は、前記第２の入力端子からの信号を検知し、
前記生成部は、前記検知部の検知結果に基づいて、前記第１の端子が選択可能な場合に前記第１の端子の情報を含み、前記第２の端子が選択可能な場合に前記第２の端子の情報を含む前記入力信号選択画面を生成することを特徴とする請求項１記載の表示処理装置。
【請求項４】
前記検知部は、電源電位を示す前記第１の信号と、前記外部装置と通信状態にあるかどうかを示す前記第２の信号とを検知することを特徴とする請求項１記載の表示処理装置。
【請求項５】
前記検知部は、前記第１の入力端子からの入力信号に含まれる第３の信号を検知し、
前記生成部は、前記検知部の検知結果に基づいて、前記外部装置が接続されていることを特定した場合に前記外部装置が接続されていることを示す情報を含む前記入力信号選択画面を生成することを特徴とする請求項１記載の表示処理装置。
【請求項６】
前記検知部は、ケーブル挿入検知を示す前記第３の信号を検知することを特徴とする請求項５記載の表示処理装置。
【請求項７】
外部装置が接続されるＨＤＭＩ規格の入力端子と、
前記入力端子からの入力信号に含まれる第１の信号と、前記入力端子からの入力信号に含まれる前記第１の信号とは異なる第２の信号とを検知する検知部と、
前記検知部の検知結果に基づいて、前記外部装置が動作中の状態か、前記外部装置が待機中の状態であるかを特定し、前記外部装置が動作中の状態であることが特定される場合に前記外部装置が動作中の状態であることを示す入力信号選択画面を生成する生成部と、
を備えることを特徴とする表示処理装置。
【請求項８】
外部装置が接続されるＨＤＭＩ規格の入力端子と、
前記入力端子からの入力信号に含まれる第１の信号と、前記入力端子からの入力信号に含まれる前記第１の信号とは異なる第２の信号とを検知する検知部と、
前記検知部の検知結果に基づいて、前記外部装置が動作中の第１の状態、前記外部装置が待機中の第２の状態、又は前記外部装置が接続されているだけの第３の状態を特定し、前記第１の状態であることが特定される場合に前記外部装置が選択可能であり、かつ前記第１の状態であることを示す入力信号選択画面を生成する生成部と、
を備えることを特徴とする表示処理装置。
【発明の詳細な説明】
【技術分野】
【０００１】
この発明は、入力信号選択画面において、複数のＨＤＭＩ規格の端子を含めた入力端子から選択可能な端子の入力信号だけを表示する表示処理装置に関する。
【背景技術】
【０００２】
近年、複合型テレビジョン装置等の映像信号処理装置は、非常に多くの入力端子をもち、これらの中からユーザが望む信号を入力信号選択画面においてリモコン等で任意に選択できる形態をとるものが一般となってきている。
【０００３】
特許文献１には、このような映像信号処理装置の例として、多くの入力端子の中から使用していない不要な入力端子を操作画面上でユーザが任意に指定することで、入力信号の選択候補としては表示させない技術が開示されている。
【先行技術文献】
【特許文献】
【０００４】
【特許文献１】特開２００７−３６８５４号公報
【発明の概要】
【発明が解決しようとする課題】
【０００５】
しかし、特許文献１の従来技術は、入力信号選択画面から不要な選択枝をスキップさせるにはユーザが操作画面を呼び出して任意にスキップすべき入力信号を指定しなければならないという煩わしさがある。また、接続の状態を考慮してユーザが逐一、どの入力信号をスキップすべきかを判断しなければならない。
【０００６】
本発明は、入力信号選択画面において、入力端子の接続状況に応じて選択可能な入力信号のアイコンだけを強調して操作性を向上させることができる表示処理装置を提供することを目的とする。
【課題を解決するための手段】
【０００７】
課題を解決するための一実施形態は、
外部装置が接続されるＨＤＭＩ規格の第１の入力端子と、
前記第１の入力端子からの入力信号に含まれる第１の信号と、前記第１の入力端子からの入力信号に含まれる前記第１の信号とは異なる第２の信号とを検知する検知部と、
前記検知部の検知結果に基づいて、前記外部装置が待機中で無く且つ動作中の状態であることを特定し、前記外部装置が前記動作中の状態であることが特定される場合に前記外部装置が動作中の状態であることを示す入力信号選択画面を生成する生成部と、
を具備することを特徴とする表示処理装置である。
【発明の効果】
【０００８】
ＨＤＭＩ等の入力端子の接続状況を検知して、入力信号選択画面において選択可能な入力端子の入力信号だけを他の信号と差別化して、または、選択可能な入力端子の入力信号だけを表示することで、操作性を向上させる。
【図面の簡単な説明】
【０００９】
【図１】本発明の一実施形態に係る表示装置の構成の一例を示すブロック図。
【図２】本発明の一実施形態に係る表示装置が扱うＨＤＭＩ端子のピン配列を示す説明図。
【図３】本発明の一実施形態に係る表示装置が扱うＤｉｓｐｌａｙｐｏｒｔ端子のピン配列を示す説明図。
【図４】本発明の一実施形態に係る表示装置の入力信号選択画面の一例を示す説明図。
【図５】本発明の一実施形態に係る表示装置の入力信号の検知方法を決定するための選択画面の一例を示す説明図。
【図６】本発明の一実施形態に係る表示装置の端子状況と検知方法の関係の一例を示す説明図。
【図７】本発明の一実施形態に係る表示装置の入力信号選択画面の他の一例を示す説明図。
【図８】本発明の一実施形態に係る表示装置の入力信号選択画面の他の一例を示す説明図。
【図９】本発明の一実施形態に係る表示装置の入力信号選択画面の他の一例を示す説明図。
【図１０】本発明の一実施形態に係る表示装置の入力信号選択画面の他の一例を示す説明図。
【図１１】本発明の一実施形態に係る表示装置であるテレビジョン装置の構成の一例を示すブロック図。
【発明を実施するための最良の形態】
【００１０】
以下、この発明の実施の形態について図面を参照して詳細に説明する。
【００１１】
＜本発明の一実施形態である表示装置の一例＞  
初めに本発明の一実施形態である表示装置の構成の一例を図面を用いて説明する。    図１は、本発明の一実施形態に係る表示装置の構成の一例を示すブロック図である。
【００１２】
（構成）
本発明の一実施形態に係る受信装置１０は、図１に示すように、ビデオ入力端子・ＰＣ入力端子２０と、複数のＨＤＭＩ端子２０−１、２０−２、２０−３と、ＨＤＭＩ端子２０−１、２０−２、２０−３の各信号の電位を検知するＨＤＭＩ信号検知部３４と、映像信号に映像信号処理を施したり音声信号に音声信号処理を施したりする信号処理部１８’と、全体の動作を司る制御部３０と、入力信号選択画面等のアイコン等の画像信号を生成する画像生成部３０−１と、液晶表示画面等の表示部２１と、リモコンや操作スイッチ等の操作部３２を有している。
【００１３】
（ＨＤＭＩ端子及びＤｉｓｐｌａｙｐｏｒｔ端子のピン配列）
又、このＨＤＭＩ端子２０は、図２に示すようなコネクタピン配列を有している。ここ
では、１３ピンのＣＥＣ（Consumer Electronics Control），１５ピンのＳＣＬ（Serial data Clock Line）、１６ピンのＳＤＡ（Serial Data Analyzer）、１８ピンの＋５Ｖ電源をＨＤＭＩ信号検知部３４の検知対象とすることがＨＤＭＩ機器の接続状態を検知する上で好適である。
【００１４】
更に、図３において、このＨＤＭＩ端子２０と同等に入力信号の選択枝として追加可能なＤｉｓｐｌａｙｐｏｒｔ端子のピン配列を示している。ここでは、１５ピン、１７ピンのＡＵＸ＿ＣＨ（ｐ／ｎ）、２０ピンのＤＰ＿ＰＷＲを検知対象とすることが好適である。
【００１５】
（入力信号選択画面の生成処理）  
次に、本発明の一実施形態である表示装置の入力信号選択画面の生成処理の一例を図面を用いて以下に説明する。図４は、表示装置の入力信号選択画面の一例を示す説明図である。入力信号選択画面では、図４において、一例として、通常のテレビジョン等の表示部２１中の画面に表示され、リモコン等で選択可能なアイコンの集合体４１で表示される。
【００１６】
・検知方法の決定
次に、ＨＤＭＩ信号検知部３４は、一例として、図５に示すような各端子の入力信号の検知方法を決定するための選択画面において、各端子の入力信号の検知方法が例えばユーザの操作やデフォルト値として決定される。
【００１７】
ここで、図５の（ａ）ケーブル挿入検知とは、ＨＤＤレコーダやＡＶアンプ等の電子機器がＨＤＭＩケーブルを介してＨＤＭＩ端子２０−１，２０−２，２０−３と接続された場合において、１５ピンのＳＣＬ（Serial data Clock Line）、１６ピンのＳＤＡ（Serial Data Analyzer）の電位を検出することである。（ｂ）ＰＷＲ５Ｖ検知とは、上記（ａ）と同じく、ＨＤＭＩケーブルがＨＤＭＩ端子２０−１，２０−２，２０−３と接続された場合において、１８ピンの＋５Ｖ電源を検出することである。（ｃ）ＣＥＣによる検知とは、上記（ａ）（ｂ）と同じく、ＨＤＭＩケーブルがＨＤＭＩ端子２０−１，２０−２，２０−３と接続された場合において、１３ピンのＣＥＣの通信状態（相手機器と通信状態にあるかどうか）を検出することである。
【００１８】
なお、図５の設定画面で設定された検出方法に応じて、一例として、図６に示すように、（ａ）ケーブル挿入検知では、ＰＣ入力端子及びＨＤＭＩ端子について、電位変化により、『接続＋動作中』、『接続＋待機中』、『接続のみ』、『無接続』の状況について、『接続＋動作中』、『接続＋待機中』、『接続のみ』と、『無接続』とが区別できる。逆に言うと、ここでは、『接続＋動作中』と『接続＋待機中』と『接続のみ』は電気的に区別できない。
【００１９】
同様に、（ｂ）ＰＷＲ５Ｖ検知では、『接続＋動作中』と、『接続＋待機中』、『接続のみ』とが区別できる。同様に、（ｃ）ＣＥＣによる検知では、『接続＋動作中』、『接続＋待機中』と、『接続のみ』、『無接続』とについて区別できる。
【００２０】
なお、ここで、『接続』とは、一例として、ケーブルが相手側の機器に接続されているが、この機器が動作しているという確認は得られなかった状態を意味している。
【００２１】
また、『無接続』とは、一例として、ＨＤＭＩ端子にケーブルも接続されておらず、ケーブルの先に機器も接続されていない状態を意味している。
【００２２】
また、『動作中』とは、一例として、ＨＤＭＩ端子にケーブルを介して接続されている機器が動作中であることを意味している。
【００２３】
また、『待機中』とは、一例として、ＨＤＭＩ端子にケーブルを介して接続されている機器が動作中ではなく待機中であることを意味している。
【００２４】
（入力信号選択画面）
ここで、入力信号選択画面は、図７に示すように、『ビデオ入力』、『ＨＤＭＩ入力１』、『ＨＤＭＩ入力２』、『ＨＤＭＩ入力３』、『ＰＣ入力』等のような、アイコンの集合体４１−１として示される。
【００２５】
ここで、ＨＤＭＩ信号検知部３４及び画像生成部３０−１の働きにより、先に図５の選択画面で定められた方法により、ＨＤＭＩ等の入力端子の接続状況を検知して、検知結果に基づいて、そのＨＤＭＩ端子が選択可能かどうかを判断できる。
【００２６】
この結果、例えば、図７のような入力信号選択画面を、図８のように選択可能な入力端子の入力信号だけを他の信号と差別化して表示させるか、または、選択可能な入力端子の入力信号だけを表示させる。そのため、ユーザは選択可能もしくは選択不能な入力端子の把握が容易であり、入力信号選択画面の操作性を向上させることができる。
【００２７】
すなわち、図８の（ａ）においては、ＨＤＭＩ入力１がマークにより選択可能であり、ＨＤＭＩ入力２、ＨＤＭＩ入力３が選択不能であることを示している。また、図８の（ｂ）においては、ＨＤＭＩ入力１が選択可能であり、ＨＤＭＩ入力２、ＨＤＭＩ入力３がアイコンにシャドウを入れることで選択不能であることを示している。
【００２８】
また、図８の（ｃ）においては、ＨＤＭＩ入力１が選択可能であり、ＨＤＭＩ入力２、ＨＤＭＩ入力３のアイコンを画面表示させないことにより、選択不能であることを示している。
【００２９】
更に、図９に示すように、検出対象を、ＨＤＭＩ端子だけでなく、ビデオ入力１、ビデオ入力２、ビデオ入力３、ＰＣ入力も対象とすることで、ビデオ入力、ＨＤＭＩ端子、ＰＣ入力も入力信号選択画面の表示対象とすることができる。
【００３０】
図９の（ａ）において、ビデオ入力２とＨＤＭＩ入力１がマークにより選択可能であり、他が選択不能であることを示している。また、図９の（ｂ）においては、ビデオ入力２とＨＤＭＩ入力１が選択可能であり、他がアイコンにシャドウを入れることで選択不能であることを示している。
【００３１】
また、図９の（ｃ）においては、ビデオ入力２とＨＤＭＩ入力１が選択可能であり、他のアイコンを画面表示させないことにより、選択不能であることを示している。
【００３２】
更に、先にあげたＤｉｓｐｌａｙｐｏｒｔ端子も設け、このＤｉｓｐｌａｙｐｏｒｔ端子の各ピンの電位を制御部３０等で検知して、信号の状態を判断することにより、Ｄｉｓｐｌａｙｐｏｒｔ端子も、同様に表示対象とすることができる。
【００３３】
更に、図６の画面で（ａ）ケーブル挿入検知、（ｂ）ＰＷＲ５Ｖ検知、（ｃ）ＣＥＣ端子の通信状態の検知を同時に指定することで、
これらの『接続＋動作中』、『接続＋待機中』、『接続のみ』、『無接続』の状況を電気的に識別することができる。
【００３４】
その結果、図１０で示すように、各入力信号について、『無接続』、『接続』、『接続・動作中』、『接続・待機中』等の表示を行なうことも可能となる。
【００３５】
＜本発明の一実施形態である受信装置の他の一例＞
以下に、本発明の一実施形態である受信装置とこれにＨＤＭＩケーブルで接続された記録媒体の再生装置について、図面を用いて詳細に説明する。図１１は、本発明の一実施形態に係る放送受信装置の構成の一例を示すブロック図である。
【００３６】
（受信装置の構成と動作）
図１１の受信装置１０は、ＨＤＭＩ−ＣＥＣ対応のテレビジョン装置であり、制御部３０は、全体の動作を司るべくデータバスを介して各部に接続されている。
【００３７】
又、図１１の受信装置１０は、再生側を構成するＭＰＥＧデコーダ部１６と、装置本体の動作を制御する制御部３０とを主たる構成要素としている。受信装置１０は、入力側のセレクタ１４と出力側のセレクタ部１９とを有しており、入力側のセレクタ１４には、ＬＡＮ等やメール機能をもった通信部１１と、いわゆる衛星放送であるＢＳ／ＣＳチューナ部１２と、いわゆる地上波チューナ部１３とが接続される。又、ＢＳ／ＣＳチューナ部１２には衛星アンテナが、地上波チューナ部１３には地上波アンテナが接続されている。
【００３８】
更に、受信装置１０は、ＭＰＥＧデコーダ部１６、分離部１７、ＨＤＭＩ信号検知部３４、記憶部３５を有している。これらの各部は、データバスを介して制御部３０に接続されている。更に、セレクタ部１９の出力は、表示部２１に接続され、外部装置との通信を行うインタフェース部２２を介して外部装置に供給される。
【００３９】
更に、受信装置１０は、データバスを介して制御部３０に接続され、ユーザの操作やリモコンの操作を受ける操作部３２を有している。ここで、リモコンＲは、受信装置１０の本体に設けられる操作部３２とほぼ同等の操作を可能とするものであり、チューナの操作等、各種設定が可能である。受信装置１０は、ＨＤＭＩ端子２０−１等が制御部３０及びデータバスに接続されている。
【００４０】
この受信装置１０は、放送信号が受信アンテナから各チューナ部１２，１３に入力され、ここで選局が行われる。選局された映像音声信号は、ＭＰＥＧデコーダ部１６等でデコード処理され、音声映像処理部１８に供給される。同様に、ＭＰＥＧデコーダ部１６や音声映像処理部１８へは、ＶＴＲやＤＶＤ等の外部機器とＨＤＭＩ端子２０−１等で接続した信号も入力される。
【００４１】
これらの入力信号は、制御部３０により管理され、音声映像処理部１８に入力する信号に切り換えられる。
【００４２】
また選局及び入力切換を行うべく、リモコンＲからの操作信号が操作部３２を介して制御部３０に供給され、この結果、ＭＰＥＧデコーダ部１６や音声映像処理部１８が制御される。音声映像処理部１８で処理された映像信号がセレクタ部１９を介して表示部２１に表示される。又、音声信号も図示しないスピーカ等に供給される。
【００４３】
ここで、制御部３０及びＨＤＭＩ信号検知部３４等により、上述したように、ＨＤＭＩ等の入力端子の接続状況を検知して、入力信号選択画面において選択可能な入力端子の入力信号だけを他の信号と差別化して、または、選択可能な入力端子の入力信号だけを表示することで、操作性を向上させることができる。
【００４４】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００４５】
以下に、原出願の分割直前の特許請求の範囲に記載された発明を付記する。
【００４６】
［１］
表示装置は、
ＨＤＭＩ規格の複数の入力端子と、
前記複数の入力端子からの入力信号に含まれる電源電位の信号である＋５Ｖ電源及び外部装置と通信状態にあるかどうかを示す信号であるＣＥＣの信号電位を検知する検知部と、
前記検知部の検知結果に基づいて、前記複数の入力端子からの入力信号から特定の入力信号を選択し、この入力信号を他の入力信号と差別化したアイコンを選択枝として表示し、前記特定の入力信号に対応した入力端子が外部装置と接続され、前記電源電位の信号の検知結果及び前記外部装置と通信状態にあるかどうかを示す信号の検知結果の両者に基づいて、前記外部装置が動作中であるかまたは待機中であることを特定し、前記外部装置が動作中であることが特定された場合に前記外部装置が動作中であることを表示する入力信号選択画面を生成し、前記外部装置が待機中であることが特定された場合に前記外部装置が待機中であることを表示する入力信号選択画面を生成する生成部と、
前記複数の入力端子からの複数の入力信号から、前記入力信号選択画面にて選択されたアイコンに応じた入力信号に所定の信号処理を施す処理部と、
を具備する。
【００４７】
［２］
上記［１］に記載の表示装置は、
前記検知部は、前記入力端子に含まれるＳＣＬ及びＳＤＡのいずれか一方または双方のピンの信号電位に基づいてケーブル挿入検知信号を検知し、
前記生成部は、前記電源電位の信号の検知結果、前記外部装置と通信状態にあるかどうかを示す信号の検知結果、及び前記ケーブル挿入検知信号の検知結果に基づいて、前記特定の入力信号に対応した入力端子が前記外部装置と接続されていることだけを表示する入力信号選択画面を生成する。
【００４８】
［３］
上記［１］に記載の表示装置は、
前記生成部が表示するアイコンは、前記他の入力信号と色またはマークで差別化されたものである。
【００４９】
［４］
上記［１］に記載の表示装置は、
前記複数の入力端子はＤｉｓｐｌａｙｐｏｒｔ端子を含み、
前記検知部は、前記Ｄｉｓｐｌａｙｐｏｒｔ端子の信号電位を検知し、
前記生成部は、前記前記入力信号選択画面に含まれるアイコンの対象として前記Ｄｉｓｐｌａｙｐｏｒｔ端子を含める。
【００５０】
［５］
表示方法は、
複数のＨＤＭＩ規格の入力端子からの入力信号に含まれる電源電位の信号である＋５Ｖ電源及び外部装置と通信状態にあるかどうかを示す信号であるＣＥＣの信号電位を検知し、
複数の入力端子に応じた入力信号から特定の入力信号を、前記検知結果に基づいて選択し、
選択した入力信号を他の入力信号と差別化したアイコンを選択枝として示し、前記特定の入力信号に対応した入力端子が外部装置と接続され、前記電源電位の信号の検知結果及び前記外部装置と通信状態にあるかどうかを示す信号の検知結果の両者に基づいて、前記外部装置が動作中であるかまたは待機中であることを特定し、前記外部装置が動作中であることが特定された場合に前記外部装置が動作中であることを表示する入力信号選択画面を生成し、前記外部装置が待機中であることが特定された場合に前記外部装置が待機中であることを表示する入力信号選択画面を表示する。
【符号の説明】
【００５１】
１８’…信号処理部、２０…ビデオ入力端子・ＰＣ入力端子、２０−１、２、３…ＨＤＭＩ端子、２１…表示部、３０…制御部、３０−１…画像生成部、３２…操作部、３４…ＨＤＭＩ信号検知部。
【図１】
2010028823.tif 000003
【図２】
2010028823.tif 000004
【図３】
2010028823.tif 000005
【図４】
2010028823.tif 000006
【図５】
2010028823.tif 000007
【図６】
2010028823.tif 000008
【図７】
2010028823.tif 000009
【図８】
2010028823.tif 000010
【図９】
2010028823.tif 000011
【図１０】
2010028823.tif 000012
【図１１】
2010028823.tif 000013